(57)【要約】【課題】渦鞭毛藻を刺激し発光させるための装置及び展示ホールを提供する。【解決手段】本発明の展示ホールは、渦鞭毛藻を刺激して発光効果が発生するための発光装置と、前記渦鞭毛藻の前記発光効果と結び付けられる少なくとも１曲の音楽を提供し、且つ前記音楽の前後の順序の音律の起伏と前記発光装置の複数のスイッチ素子の開閉とは相関する応対作用を有するオーディオ機器と、画定されるショースペースエリアであって、前記渦鞭毛藻の前記発光効果及び前記外部音は前記ショースペースエリア内で生じるショースペースエリアとを備える。特に、音楽のリズムに合わせて渦鞭毛藻自体がパフォーマーとなって前記発光効果を発生させる。【選択図】図１ａ
2019030641.tif 000002
【特許請求の範囲】
【請求項１】
底部仕切り板及び収容空間を含み、前記底部仕切り板は前記収容空間に連通される複数の穴を有し、且つ前記収容空間には渦鞭毛藻及び海水が入れられる水槽と、
複数のスイッチ素子を含み、これら前記スイッチ素子は前記底部仕切り板のこれら前記穴にそれぞれ接続され、且つ前記水槽の収容空間内の前記渦鞭毛藻及び海水が前記底部仕切り板のこれら前記穴を経由して流出する流量の制御に用いられる第一スイッチユニットと、
前記水槽の底部仕切り板の下方に設置される所定の造形を有する集水器であって、前記底部仕切り板のこれら前記穴から流出する前記渦鞭毛藻及び海水を前記集水器の前記所定の造形に滴下させ、前記渦鞭毛藻が刺激されることで前記集水器の第一区域で発光効果が発生する集水器と、を備えることを特徴とする、
渦鞭毛藻を刺激し発光させるための装置。
【請求項２】
前記底部仕切り板は、流量の違いを決定させるための異なるサイズの複数の穴を有することを特徴とする請求項１に記載の渦鞭毛藻を刺激し発光させるための装置。
【請求項３】
前記集水器には刺激されていない渦鞭毛藻及び海水が更に入れられ、且つ前記渦鞭毛藻を刺激し発光させるための装置は、前記所定の造形を有する集水器の底部にそれぞれ設置される複数のスイッチ素子を含み、前記複数のスイッチ素子は前記集水器内の前記渦鞭毛藻及び海水がかき乱されることにより、前記渦鞭毛藻が刺激されて前記集水器の第二区域で発光効果が発生するように制御させるために用いられ、前記第二区域は前記第一区域とは異なる第二スイッチユニットを更に備えることを特徴とする請求項１に記載の渦鞭毛藻を刺激し発光させるための装置。
【請求項４】
底部仕切り板及び収容空間を含み、前記底部仕切り板は前記収容空間に連通される複数の穴を有し、且つ前記収容空間には海水が入れられる水槽と、
複数のスイッチ素子を含み、これら前記スイッチ素子は前記底部仕切り板のこれら前記穴にそれぞれ接続され、且つ前記水槽の収容空間内の海水が前記底部仕切り板のこれら前記穴を経由して流出する流量の制御に用いられる第一スイッチユニットと、
前記水槽の底部仕切り板の下方に設置される所定の造形を有する集水器であって、前記集水器には刺激されていない渦鞭毛藻及び海水が入れられ、これにより、前記底部仕切り板のこれら前記穴から流出する海水が前記集水器の渦鞭毛藻に接触させた際に、前記渦鞭毛藻が刺激されて前記集水器の第一区域で発光効果が発生する集水器と、を備えることを特徴とする、
渦鞭毛藻を刺激し発光させるための装置。
【請求項５】
前記所定の造形を有する集水器の底部にそれぞれ設置される複数のスイッチ素子を含み、前記複数のスイッチ素子は前記集水器内の前記渦鞭毛藻及び海水がかき乱されることにより前記渦鞭毛藻が刺激されて前記集水器の第二区域で発光効果が発生するように制御させるために用いられ、前記第二区域は前記第一区域とは異なる第二スイッチユニットを更に備えることを特徴とする請求項４に記載の渦鞭毛藻を刺激し発光させるための装置。
【請求項６】
刺激されていない渦鞭毛藻及び海水が入れられる所定の造形を有する集水器と、
前記所定の造形を有する集水器の底部にそれぞれ設置される複数のスイッチ素子を含み、前記複数のスイッチ素子は前記集水器内の前記渦鞭毛藻がかき乱されることにより前記渦鞭毛藻が刺激されて前記集水器の第二区域で発光効果が発生するように制御させるために用いられる第二スイッチユニットと、を備えることを特徴とする、
渦鞭毛藻を刺激し発光させるための装置。
【請求項７】
請求項１、４、または６に記載の渦鞭毛藻を刺激し発光させるための発光装置であって、前記渦鞭毛藻を刺激して前記発光効果を発生させるために用いられる発光装置と、
複数のスイッチ素子に電気的に接続され、前記渦鞭毛藻の前記発光効果と結び付けられる少なくとも１曲の音楽を提供するために用いられ、且つ前記音楽の前後の順序の音律の起伏とこれら前記スイッチ素子の開閉とは相関する応対作用を有するオーディオ機器と、
画定されるショースペースエリアであって、前記渦鞭毛藻の前記発光効果及び前記音楽は前記ショースペースエリア内で生じるショースペースエリアと、を備えることを特徴とする、
展示ホール。
【請求項８】
これら前記スイッチ素子に電気的に接続されると共に外部音声の検知に用いられ、前記外部音声は前記渦鞭毛藻の前記発光効果と結び付けられ、且つ前記外部音声の前後の順序の音律の起伏とこれら前記スイッチ素子の開閉とは相関する応対作用を有する音声検知モジュールを更に備えることを特徴とする請求項７に記載の展示ホール。
【請求項９】
請求項１、４、または６に記載の渦鞭毛藻を刺激し発光させるための発光装置であって、前記渦鞭毛藻を刺激して前記発光効果を発生させるために用いられる発光装置と、
これら前記スイッチ素子に電気的に接続されると共に外部音声の検知に用いられ、前記外部音声は前記渦鞭毛藻の前記発光効果と結び付けられ、且つ前記外部音声の前後の順序の音律の起伏とこれら前記スイッチ素子の開閉とは相関する応対作用を有する音声検知モジュールと、
画定されるショースペースエリアであって、前記渦鞭毛藻の前記発光効果及び前記外部音は前記ショースペースエリア内で生じるショースペースエリアと、を備えることを特徴とする、
展示ホール。
【発明の詳細な説明】
【技術分野】
【０００１】
本発明は、発光装置に関し、更に詳しくは、渦鞭毛藻を刺激し発光させるための装置及び展示ホールに関する。
【背景技術】
【０００２】
舞台演劇は観客の目の前で直接演じて見せるものであり、特に、現場でのリアルタイムな演出は見る者の心に深く印象を刻む。
【発明の概要】
【発明が解決しようとする課題】
【０００３】
しかしながら、科学技術の進歩に伴い、高品質の映像音響効果の撮影技術を使用して拡大し続けた結果、テレビドラマが、人気を博すマルチメディアコンテンツとなった。但し、ドラマの撮影と現場でのリアルタイム演出とは異なる方向性を持った表現手段であり、特に、リアリスティックで淀みない演技が大きな違いを生み出す。
ドラマ撮影では、演出人数の制限は少なく、且つカット割りやアニメーション等の特撮により好ましい視覚効果を容易に得られるため、現場でのリアルタイム演出は相対的に劣勢であった。
然しながら、現場でのリアルタイム演出が淘汰されることはなく、この表現方法による演出は一定の人々を魅了しているものの、人気という面では時代の潮流には乗れず、劣勢は明らかであった。
このため、出願者は、現場でのリアルタイム演出が徐々に廃れていく原因は舞台セット及び演出効果がドラマ撮影に及ばないことにあると考え、現場でのリアルタイム演出の効果を改善していければ、また多くの人々に観劇してもらえると信じている。
【０００４】
また、従来の現場でのリアルタイム表現方法は、人工的な舞台セットまたは人工的な表現方法で演出しており、自然の素材を映像音響効果と結び付けて演出するものは少ない。
【０００５】
そこで、本発明者は上記の欠点が改善可能と考え、鋭意検討を重ねた結果、合理的設計で上記の課題を効果的に改善する本発明の提案に到った。
【０００６】
かかる従来の実情に鑑みて、本発明は、展示ホールの現場でのリアルタイム演出の視覚効果を高める渦鞭毛藻を刺激し発光させるための装置を提供することを目的とする。
【課題を解決するための手段】
【０００７】
上述した課題を解決し、目的を達成するための本発明に係る展示ホールの特徴は、請求項１、４、または６に記載の渦鞭毛藻を刺激し発光させるための発光装置であって、前記渦鞭毛藻を刺激して前記発光効果を発生させるために用いられる発光装置と、複数のスイッチ素子に電気的に接続され、前記渦鞭毛藻の前記発光効果と結び付けられる少なくとも１曲の音楽を提供するために用いられ、且つ前記音楽の前後の順序の音律の起伏とこれら前記スイッチ素子の開閉とは相関する応対作用を有するオーディオ機器と、画定されるショースペースエリアであって、前記渦鞭毛藻の前記発光効果及び前記音楽は前記ショースペースエリア内で生じるショースペースエリアと、を備える。
【発明の効果】
【０００８】
本発明に記載の発光装置は、渦鞭毛藻が刺激されることで発生する発光効果を利用する。前記発光効果は前記集水器の特定の局所区域で時間及び順序が制御されて生じるものであり、且つ音楽または外部音声と結び付けられて展示ホールの現場でのリアルタイム演出の視覚効果が向上する。
特に、本発明は音楽のリズムまたは外部音声と結び付けられることにより渦鞭毛藻（例えば、夜光虫）自体がパフォーマーとなって前記発光効果を発生させる。
【図面の簡単な説明】
【０００９】
【図１ａ】本発明の第１実施形態による渦鞭毛藻を刺激し発光させるための装置を示す斜視図である。
【図１ｂ】本発明の第１実施形態の水槽を示す斜視図である。
【図２ａ】本発明の第２実施形態による渦鞭毛藻を刺激し発光させるための装置を示す斜視図である。
【図２ｂ】本発明の第２実施形態の水槽を示す斜視図である。
【図３ａ】本発明の第５実施形態による渦鞭毛藻を刺激し発光させるための装置を示す斜視図である。
【図３ｂ】本発明の第５実施形態の集水器を示す斜視図である。
【図４ａ】本発明の一実施形態による渦鞭毛藻を刺激し発光させるための装置の対象物の発光作動前を示す概略図である。
【図４ｂ】本発明の一実施形態による渦鞭毛藻を刺激し発光させるための装置の対象物の発光作動後を示す概略図である。
【図４ｃ】本発明の一実施形態による渦鞭毛藻を刺激し発光させるための装置の対象物の発光写真を示す概略図である。
【図５】本発明の一実施形態による展示ホールを示す平面図である。
【図６】本発明の他の実施形態による展示ホールを示す平面図である。
【図７】本発明のさらなる他の実施形態による展示ホールを示す平面図である。
【発明を実施するための形態】
【００１０】
以下に、本発明に係る渦鞭毛藻を刺激し発光させるための装置及び展示ホールを図面に基づいて詳細に説明する。尚、以下に説明する実施の形態は、特許請求の範囲に記載された本発明の内容を限定するものではない。また、以下に説明される構成の全てが、本発明の必須要件であるとは限らない。
【００１１】
図１ａは本発明の第１実施形態による渦鞭毛藻（Ｄｉｎｏｆｌａｇｅｌｌａｔａ）を刺激し発光させるための装置１０を示す斜視図であり、図１ｂは本発明の第１実施形態の水槽１００を示す斜視図である。
図１ａ及び図１ｂに示されるように、前記渦鞭毛藻を刺激し発光させるための装置１０は、水槽１００と、第一スイッチユニット３００と、所定の造形２１０を有する集水器２００とを備える。前記水槽１００は底部仕切り板１１０及び収容空間１３０を含み、前記底部仕切り板１１０は前記収容空間１３０に連通される複数の穴１２０を有する。前記収容空間１３０には刺激されていない渦鞭毛藻５０及び海水４０が入れられ、例えば、渦鞭毛藻５０及び海水４０は人力（手で汲む等）または機械（ポンプで汲み取る等）で前記収容空間１３０内に輸送される。
前記第一スイッチユニット３００は前記底部仕切り板１１０のこれら前記穴１２０にそれぞれ接続される複数のスイッチ素子３１０を備える。これら前記スイッチ素子３１０は、前記水槽１００の収容空間１３０内の前記渦鞭毛藻５０及び海水４０が前記底部仕切り板１１０のこれら前記穴１２０から流出する流量の制御に用いられる。
前記集水器２００は前記水槽１００の底部仕切り板１１０の下方に設置され、例えば、前記水槽１００は複数の透明ガラス（または複数の支持柱）により支持されることにより前記水槽１００が前記集水器２００の上方に位置される。前記底部仕切り板１１０のこれら前記穴１２０から流出する前記渦鞭毛藻５０及び海水４０が前記集水器２００の前記所定の造形２１０に流入すると、前記渦鞭毛藻５０が刺激されて前記集水器２００の第一区域（即ち、前記集水器の特定の局所区域）で発光効果を発生させる。例えば、前記第一区域は中間区域であるが、これに限られない。前記集水器２００の所定の造形２１０には制限がなく、例えば、砂岩形状の造形でもよい。或いは、前記所定の造形２１０は平面の集水面でもよく、前記所定の造形２１０の設置に特別な制限はない。
【００１２】
前記渦鞭毛藻５０は夜光虫（Ｎｏｃｔｉｌｕｃａ  ｓｃｉｎｔｉｌｌａｎｓ）、渦鞭毛虫門（Ｄｉｎｏｆｌａｇｅｌｌａｔａ）に属する単細胞生物から選択され、台湾では青い涙とも呼ばれ、海洋性の非寄生性渦鞭毛藻であり、生物発光を行う。この種の藻類の発光能力は、体内に数千もの球状細胞小器官を持ち、その中にはルシフェリン及びルシフェリンルシフェラーゼを有する。これら細胞小器官はミクロの電源供給器のように作用し、前記夜光虫が周囲の環境の変化を感じ取った際に発光する。
【００１３】
前記夜光虫が液体によりかき乱されると青色の閃光を発生させる。その発光メカニズムは細胞内に存在するルシフェリン（ｌｕｃｉｆｅｒｉｎ）及びルシフェラーゼ（ｌｕｃｉｆｅｒａｓｅ）の作用によるものであり、且つ細胞膜に存在するシンテロン（ｓｃｉｎｔｉｌｌｏｎ）にも干渉し、信号で起動される制御器となる。
前記夜光虫が力学的な刺激を受けると、細胞膜のタンパク質により結び付けられていたルシフェリンが解放され、解放された前記ルシフェリンが前記ルシフェラーゼと作用して４７４ｎｍ乃至４７６ｎｍの範囲の波長の青色光を発生させる。前記夜光虫は海水から取得され、例えば、台湾の墾丁、台湾海峡、馬祖島、アメリカのカリフォルニア州のウェスト・リンダ・マー・ベイ、モルディブ、及びオーストラリアのビクトリア州のギプスランド湖にも生息している。また、上述の発光する渦鞭毛藻の種類は渦鞭毛虫門（Ｄｉｎｏｆｌａｇｅｌｌａｔａ）に属する発光する藻類であり、夜光虫（Ｎｏｃｔｉｌｕｃａ  ｓｃｉｎｔｉｌｌａｎｓ）に限定されない。
【００１４】
図１ａ及び図１ｂに示されるように、前記第一スイッチユニット３００は、これら前記スイッチ素子３１０に電気的に接続されると共に前記水槽１００の収容空間１３０内の前記渦鞭毛藻５０及び海水４０が前記底部仕切り板１１０のこれら前記穴１２０から流出する時間及び順序の制御に用いられるプログラマブルコントローラ３２０を更に備える。前記スイッチ素子３１０は電磁弁またはマイクロ弁（例えば、マイクロ弁は圧電アクチュエータにより駆動される）である。
【００１５】
前記底部仕切り板１１０は、流量の違いを決定させるための異なるサイズの複数の穴１２０を有する。
【００１６】
図２ａは本発明の第２実施形態による渦鞭毛藻を刺激し発光させるための装置１０’を示す斜視図であり、図２ｂは本発明の第２実施形態の水槽１００を示す斜視図である。
図１ａ及び図１ｂに示されるように、第２実施形態に係る渦鞭毛藻を刺激し発光させるための装置１０’は第１実施形態に係る渦鞭毛藻を刺激し発光させるための装置１０に大方類似し、同じ部材については同じ符号で標示する。
第２実施形態と第１実施形態との差異は、第２実施形態に係る渦鞭毛藻を刺激し発光させるための装置１０’の集水器２００には刺激されていない渦鞭毛藻５０及び海水４０が入れられ、前記水槽１００には海水４０のみが入れられて刺激されていない渦鞭毛藻５０は入れられない点である。
前記所定の造形２１０を有する集水器２００は前記水槽１００の底部仕切り板１１０の下方に設置され、前記集水器２００には刺激されていない渦鞭毛藻５０及び海水４０が入れられる。これにより、前記底部仕切り板１１０のこれら前記穴１２０から流出する海水４０が前記集水器２００の渦鞭毛藻５０に接触させると、前記渦鞭毛藻５０が刺激されて前記集水器２００の第一区域（即ち、前記集水器の特定の局所区域）で発光効果を発生させる。例えば、前記第一区域は中間区域であるが、但しこれに限られない。
【００１７】
図２ａ及び図２ｂに示されるように、前記底部仕切り板１１０のこれら前記穴１２０から流出する前記海水４０が前記集水器２００の渦鞭毛藻５０に接触させると、前記渦鞭毛藻５０が刺激されて発光効果を発生させる。
【００１８】
他の実施形態では、前記集水器２００に刺激されていない渦鞭毛藻５０及び海水４０が入れられ、且つ前記水槽１００に海水４０及び刺激されていない渦鞭毛藻５０が入れられている場合、第１及び第２実施形態に係る渦鞭毛藻を刺激し発光させるための装置１０、１０’の発光効果を同時に達成させる。
【００１９】
図３ａは本発明の第５実施形態による渦鞭毛藻を刺激し発光させるための装置を示す斜視図であり、図３ｂは本発明の第５実施形態の集水器を示す斜視図である。
図１ａ、図３ａ及び図３ｂを参照する。第５実施形態に係る渦鞭毛藻を刺激し発光させるための装置１０’’’’は第１実施形態に係る渦鞭毛藻を刺激し発光させるための装置１０に大方類似し、同じ部材については同じ符号で標示する。
第５実施形態と第１実施形態との差異は、第５実施形態に係る渦鞭毛藻を刺激し発光させるための装置１０’’’’の集水器２００には刺激されていない渦鞭毛藻５０及び海水４０が入れられ、且つ前記水槽１００には刺激されていない渦鞭毛藻５０及び海水４０が入れられず、また、前記渦鞭毛藻を刺激し発光させるための装置１０’’’’が第二スイッチユニット３００’を備える点である。
前記第二スイッチユニット３００’は複数のスイッチ素子３１０’を含み、これら前記スイッチ素子３１０’は前記所定の造形２１０を有する集水器２００の底部にそれぞれ設置され、前記集水器２００内の前記渦鞭毛藻５０及び海水４０がかき乱されることにより前記渦鞭毛藻５０が刺激されて前記集水器２００の第二区域（即ち、前記集水器の他の特定の局所区域）で発光効果を発生させるように制御させるために用いられる。例えば、前記第二区域は外囲区域であるが、但しこれに限られない。
これら前記スイッチ素子３１０’は圧電アクチュエータである。これら前記スイッチ素子３１０’は前記集水器２００の底部にそれぞれ設置されるため、これら前記スイッチ素子３１０’に防水密封処理を施して海水の侵蝕を防ぐ必要がある。
【００２０】
図３ｂを参照する。前記第二スイッチユニット３００’はこれら前記スイッチ素子３１０’に電気的に接続されるプログラマブルコントローラ３２０’を更に備える。前記プログラマブルコントローラ３２０’は、これら前記スイッチ素子３１０’に命じて前記集水器２００内の刺激されていない渦鞭毛藻５０及び海水４０をかき乱すようにし、前記渦鞭毛藻５０を刺激して前記発光効果を発生させるように制御させるために用いられる。
【００２１】
図４ａは本発明の一実施形態による渦鞭毛藻を刺激し発光させるための装置１０の対象物６００の発光作動前を示す概略図であり、図４ｂは本発明の一実施形態による渦鞭毛藻を刺激し発光させるための装置１０の対象物６００の発光作動後を示す概略図であり、図４ｃは本発明の一実施形態による渦鞭毛藻を刺激し発光させるための装置の対象物の発光写真を示す概略図である。
図１ａ、図４ａ、図４ｂ及び図４ｃを参照する。前記スイッチ素子３１０は、前記水槽１００の収容空間１３０内の前記渦鞭毛藻５０及び海水４０が前記底部仕切り板１１０のこれら前記穴１２０を経由し、前記渦鞭毛藻５０が対象物６００に接触させるように制御させるために用いられる。前記対象物６００は、例えば、ダンサーの造形である。
前記渦鞭毛藻５０が前記対象物６００に接触されて力学的刺激を受けると、細胞膜のタンパク質により結び付けられていたルシフェリンが解放され、解放された前記ルシフェリンが前記ルシフェラーゼと作用して４７４ｎｍ乃至４７６ｎｍの範囲の波長の青色光が発生する。これにより、前記対象物６００が前記渦鞭毛藻５０により覆われると発光効果６０２が発生する（例えば、図４ｃに示される発光効果）。
【００２２】
図５は本発明の一実施形態による展示ホール３０を示す平面図である。
図１ａ及び図５を参照する。前記展示ホール３０は本発明の第３実施形態に係る渦鞭毛藻を刺激し発光させるための装置１０’’を備える。第３実施形態に係る渦鞭毛藻を刺激し発光させるための装置１０’’は第１実施形態に係る渦鞭毛藻を刺激し発光させるための装置１０と大方類似し、同じ部材については同じ符号で標示する。
第３実施形態と第１実施形態との差異は、第３実施形態に係る渦鞭毛藻を刺激し発光させるための装置１０’’は、パイプユニット４００及びポンプ５００を更に備える点である。前記パイプユニット４００は進水管４１０及び排水管４３０を有し、前記進水管４１０の進水端４２０は前記水槽１００に連通され、前記排水管４３０の排水端４４０は前記集水器２００に連通される。
前記ポンプ５００は前記排水管４３０と前記進水管４１０との間に設置され、前記集水器２００の前記渦鞭毛藻５０及び海水４０を前記水槽１００に輸送させるために用いられる。換言すれば、第３実施形態において、前記渦鞭毛藻５０及び海水４０は機械（即ち、ポンプによる汲み取り方式）により前記収容空間１３０内に輸送される。
【００２３】
前記渦鞭毛藻を刺激し発光させるための装置１０’’は、位置が固定される特定形状の物体である少なくとも１つの対象物６００を更に備える。前記対象物６００は前記集水器２００の所定の造形２１０に取り外し可能に装設される。前記集水器２００の所定の造形２１０には制限がなく、例えば、砂岩形状の造形でもよい。前記対象物６００は、例えば、ダンサーの造形でもよい。
【００２４】
或いは、前記対象物６００は位置が移動する特定形状の物体である。前記渦鞭毛藻を刺激し発光させるための装置１０’’は、駆動部材７１０と、前記駆動部材７１０により駆動される複数の駆動輪７２０と、前記駆動輪７２０に周設されるフレキシブルチェーン７３０と、前記フレキシブルチェーン７３０に設置される少なくとも１つの固定台７４０とを含む駆動ユニット７００を更に備える。
前記駆動ユニット７００はねじ穴中に螺合されるスレッド部６２０を更に備える。前記スレッド部６２０は前記固定台７４０に固設され、且つ前記対象物６００は前記スレッド部６２０に取り外し可能に装設される。これにより、前記駆動ユニット７００は前記対象物６００を駆動させて前記所定の造形２１０上で移動させるために用いられる。
【００２５】
図６は本発明の他の実施形態による展示ホール３０‘を示す平面図である。
図５及び図６を参照する。前記展示ホール３０’は本発明の第４実施形態に係る渦鞭毛藻を刺激し発光させるための装置１０’’’を備える。第４実施形態に係る渦鞭毛藻を刺激し発光させるための装置１０’’’は第３実施形態に係る渦鞭毛藻を刺激し発光させるための装置１０’’に大方類似し、同じ部材については同じ符号で標示する。
第４実施形態と第３実施形態との差異は、第４実施形態に係る渦鞭毛藻を刺激し発光させるための装置１０’’’の集水器２００には刺激されていない渦鞭毛藻５０及び海水４０が入れられ、前記水槽１００には海水４０のみが入れられて、刺激されていない渦鞭毛藻５０は入れられない点である。
【００２６】
図７は本発明のさらなる他の実施形態による展示ホール３０‘’を示す平面図である。
図３ａ、図３ｂ、図６及び図７を参照する。前記展示ホール３０’’は本発明の第５実施形態に係る渦鞭毛藻を刺激し発光させるための装置１０’’’’を備える。第５実施形態に係る渦鞭毛藻を刺激し発光させるための装置１０’’’’は第４実施形態に係る渦鞭毛藻を刺激し発光させるための装置１０’’’に大方類似し、同じ部材については同じ符号で標示する。
第５実施形態と第４実施形態との差異は、第５実施形態に係る前記水槽１００には海水４０が入れられない点である。このほか、前記渦鞭毛藻を刺激し発光させるための装置１０’’’’は複数のスイッチ素子３１０’を含む第二スイッチユニット３００’を更に備え、これら前記スイッチ素子３１０’は前記所定の造形２１０を有する集水器２００の底部にそれぞれ設置され、前記集水器２００内の前記渦鞭毛藻５０及び海水４０がかき乱されるように制御させるために用いられる。
【００２７】
図１ａ、図２ａ、図３ａ、図３ｂ、図５、図６及び図７を参照する。前記展示ホール３０、３０’、３０’’は発光装置と、オーディオ機器８００と、音声検知モジュール９００と、画定されるショースペースエリア２０とを備える。前記発光装置は第３乃至第５実施形態に係る渦鞭毛藻を刺激し発光させるための装置１０’’、１０’’’、１０’’’’である。他の実施形態において、前記発光装置は第１及び第２実施形態に係る渦鞭毛藻を刺激し発光させるための装置１０、１０’でもよい。
前記オーディオ機器８００は前記発光を受ける前記所定の造形２１０に結び付けられる少なくとも１曲の音楽を提供するために用いられ、且つ前記渦鞭毛藻５０は音楽の種類の違いに合わせ、例えば、アップテンポのロックの場合では前記スイッチ素子３１０が噴水の流速を速めて流出させる。音楽がスローテンポのスピリチュアル音楽の場合、前記スイッチ素子３１０は噴水の流速を遅らせて流出させ、前記渦鞭毛藻５０が音符の律動の高低に合わせて輝度の幅の広い多様な発光効果を発生させる。
前記音楽の前後の順序の音律の起伏と前記スイッチ素子３１０の開閉とは相関する応対作用を有し、且つ前記スイッチ素子３１０の開閉と連動して前記渦鞭毛藻５０がスムーズに流されて前記対象物６００に接触させて発光効果を発生させる。
【００２８】
前記音声検知モジュール９００はこれら前記スイッチ素子３１０、３１０’に電気的に接続されると共に外部音声の検知に用いられ、前記音声検知モジュール９００が外部音声（例えば、拍手等であるが、但しこれに限られない）を検知した場合、前記音声検知モジュール９００が信号を発信させて前記第一スイッチユニット３００及び第二スイッチユニット３００’に伝送させ、前記スイッチ素子３１０を制御させて前記水槽１００の収容空間１３０内の前記渦鞭毛藻５０及び海水４０が前記底部仕切り板１１０のこれら前記穴１２０から流出する時間及び順序を制御させるか否か、或いは前記スイッチ素子３１０’を制御させて前記集水器２００内の前記渦鞭毛藻５０をかき乱させ、前記渦鞭毛藻５０を刺激させて発光効果を発生させるか否かの制御が行われる。
これにより、前記外部音声が前記第一スイッチユニット３００及び第二スイッチユニット３００’に結び付けられ、外部音声の信号が伝送されて電子信号に変換され、これら前記スイッチ素子３１０、３１０’の作動機能が制御され、前記渦鞭毛藻５０が発光効果を発生させる。また、前記外部音声の前後の順序の音律の起伏とこれら前記スイッチ素子３１０、３１０’の開閉とは相関する応対作用を有する。例えば、『拍手』の音声が検知された後、前記渦鞭毛藻５０の発光効果は対応する『Ｔｈａｎｋｓ（ありがとう）』または『Ｅｎｃｏｒｅ（アンコール）』等の文字を発光により表現する。また、例えば、『結婚して』という音声が検知された後、前記渦鞭毛藻５０の発光効果は対応する『ハート形（前記所定の造形）』を発光により表現する。
【００２９】
前記画定されるショースペースエリア２０内では、前記渦鞭毛藻５０の前記発光効果、前記音楽、及び前記外部音声が生じる。本実施形態において、前記オーディオ機器８００及び前記音声検知モジュール９００は前記ショースペースエリア２０内に設置される。他の実施形態では、前記オーディオ機器８００及び前記音声検知モジュール９００は前記ショースペースエリア２０外に設置されてもよい。
【００３０】
図５を参照する。前記展示ホール３０は、発光装置と、オーディオ機器８００と、音声検知モジュール９００と、画定されるショースペースエリア２０とを備える。前記発光装置は第３実施形態に係る渦鞭毛藻を刺激し発光させるための装置１０’’でもよく、前記発光装置は第１及び第２実施形態に係る渦鞭毛藻を刺激し発光させるための装置１０、１０’でもよい。
【００３１】
図６を参照する。前記展示ホール３０’は、発光装置と、オーディオ機器８００と、音声検知モジュール９００と、画定されるショースペースエリア２０とを備える。前記発光装置は第４実施形態に係る渦鞭毛藻を刺激し発光させるための装置１０’’’である。他の実施形態では、前記発光装置は第１及び第２実施形態に係る渦鞭毛藻を刺激し発光させるための装置１０、１０’でもよい。
【００３２】
図７を参照する。前記展示ホール３０’’は、発光装置と、オーディオ機器８００と、音声検知モジュール９００と、画定されるショースペースエリア２０とを備える。前記発光装置は第５実施形態に係る渦鞭毛藻を刺激し発光させるための装置１０’’’’である。他の実施形態では、前記発光装置は第１及び第２実施形態に係る渦鞭毛藻を刺激し発光させるための装置１０、１０’でもよい。
【００３３】
さらに、他の実施形態では、前記展示ホール３０、３０’、３０’’には音声検知モジュール９００が設置されず、発光装置と、オーディオ機器８００と、画定されるショースペースエリア２０とのみを備える。前記発光装置は第１乃至第５実施形態に係る渦鞭毛藻を刺激し発光させるための装置１０、１０’、１０’’、１０’’’、１０’’’’である。
【００３４】
また、他の実施形態では、前記展示ホール３０、３０’、３０’’にはオーディオ機器８００が設置されず、発光装置と、音声検知モジュール９００と、画定されるショースペースエリア２０とのみを備える。前記発光装置は第１乃至第５実施形態に係る渦鞭毛藻を刺激し発光させるための装置１０、１０’、１０’’、１０’’’、１０’’’’である。
【００３５】
上述するように、本発明に記載の発光装置は、渦鞭毛藻被が刺激されることで発生させる発光効果を利用する。前記発光効果は前記集水器の特定の局所区域で時間及び順序を制御されて発生し、且つ音楽または外部音声に結び付けられて、展示ホールの現場でのリアルタイム演出の視覚効果を向上させる。特に、本発明は音楽のリズムまたは外部音声に結び付けられ、渦鞭毛藻（例えば、夜光虫）自体がパフォーマーとなって前記発光効果を発生させる。
【００３６】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００３７】
１０  渦鞭毛藻を刺激し発光させるための装置
１０’  渦鞭毛藻を刺激し発光させるための装置
１０’’  渦鞭毛藻を刺激し発光させるための装置
１０’’’  渦鞭毛藻を刺激し発光させるための装置
１０’’’’  渦鞭毛藻を刺激し発光させるための装置
２０  ショースペースエリア
３０  展示ホール
３０’  展示ホール
３０’’  展示ホール
４０  海水
５０  渦鞭毛藻
１００  水槽
１１０  底部仕切り板
１２０  穴
１３０  収容空間
２００  集水器
２１０  所定の造形
３００  第一スイッチユニット
３００’  第二スイッチユニット
３１０  スイッチ素子
３１０’  スイッチ素子
３２０  プログラマブルコントローラ
３２０’  プログラマブルコントローラ
４００  パイプユニット
４１０  進水管
４２０  進水端
４３０  排水管
４４０  排水端
５００  ポンプ
６００  対象物
６０２  発光効果
６２０  スレッド部
７００  駆動ユニット
７１０  駆動部材
７２０  駆動輪
７３０  フレキシブルチェーン
７４０  固定台
８００  オーディオ機器
【図１ａ】
2019030641.tif 000003
【図１ｂ】
2019030641.tif 000004
【図２ａ】
2019030641.tif 000005
【図２ｂ】
2019030641.tif 000006
【図３ａ】
2019030641.tif 000007
【図３ｂ】
2019030641.tif 000008
【図４ａ】
2019030641.tif 000009
【図４ｂ】
2019030641.tif 000010
【図４ｃ】
2019030641.tif 000011
【図５】
2019030641.tif 000012
【図６】
2019030641.tif 000013
【図７】
2019030641.tif 000014